(57)【特許請求の範囲】
【請求項１】
第１，第２ケース体（４１，４２）を備え且つ各種電子部品（４４）が装着された基板（２３）を前記第２ケース体（４２）の内側に装着した状態でそれら基板（２３）及び第２ケース体（４２）に対して前記第１ケース体（４１）を互いに嵌脱可能なアンロック状態と嵌合状態が保持されるロック状態との間で相対的にスライドさせることにより開閉可能な基板ケース（２４）と、前記第１，第２ケース体（４１，４２）を前記ロック状態で封止可能な封止手段（４３）とを備えた遊技機において、前記基板（２３）側又は前記第１ケース体（４１）側に係合部（４７ａ）を、前記第１ケース体（４１）側又は前記基板（２３）側に前記係合部（４７ａ）に対応する被係合部（８９ａ）を夫々設け、前記係合部（４７ａ）は損壊容易な低強度部（４９）を介して前記基板（２３）側又は前記第１ケース体（４１）側に支持されており、前記係合部（４７ａ）と前記被係合部（８９ａ）とは、前記第１，第２ケース体（４１，４２）が前記ロック状態のときに前記第１，第２ケース体（４１，４２）の嵌脱方向に互いに係合し、前記アンロック状態のときにその係合が解除されるように構成されていることを特徴とする遊技機。
【請求項２】
前記第１，第２ケース体（４１，４２）は、前記アンロック状態と前記ロック状態との間で前記基板（２３）の板面に沿う方向に相対的にスライド可能であると共に、前記アンロック状態で前記基板（２３）の板面に略垂直な方向に嵌脱可能であり、前記係合部（４７ａ）と前記被係合部（８９ａ）とは、前記第１，第２ケース体（４１，４２）が前記ロック状態のときに前記基板（２３）の板面に略垂直な方向に係合するように構成されていることを特徴とする請求項１に記載の遊技機。
【請求項３】
前記係合部（４７ａ）は、前記基板（２３）に装着された合成樹脂製の装着部品（４４ｂ）に前記低強度部（４９）を介して一体形成されていることを特徴とする請求項２に記載の遊技機。
【請求項４】
前記係合部（４７ａ）は、前記基板（２３）側から前記第１ケース体（４１）側に突出する支持脚部（４７ｂ）の先端側に前記低強度部（４９）を介して一体に設けられていることを特徴とする請求項３に記載の遊技機。
【請求項５】
前記係合部（４７ａ）は、前記低強度部（４９）を介して前記基板（２３）に一体に形成されていることを特徴とする請求項２に記載の遊技機。
【請求項６】
前記基板（２３）の表面に設けられた配線（１５２）の一部が前記低強度部（４９）を経て前記係合部（４７ａ）上に配置されており、前記低強度部（４９）が損壊したとき、その低強度部（４９）を通過する配線（１５２）が切断されるように構成されていることを特徴とする請求項５に記載の遊技機。
【請求項７】
前記低強度部（４９）の損壊により前記配線（１５２）が切断されることを条件に所定のエラー処理が実行されるように構成されていることを特徴とする請求項６に記載の遊技機。
【発明の詳細な説明】
【技術分野】
【０００１】
本発明は、パチンコ機、スロットマシン等の遊技機に係り、詳しくは、基板を挟んで嵌め合わせ可能な第１，第２ケース体により構成された基板ケースと、この基板ケースを閉状態で封止可能な封止手段とを備えた遊技機に関するものである。
【背景技術】
【０００２】
パチンコ機等の遊技機では、各種制御基板等が基板ケースに格納された状態で本体裏側等に装着されている。一般的な基板ケースは、第１ケース体と第２ケース体とを開閉可能に組み合わせることにより略箱形となるように構成されている。
【０００３】
また、遊技機の基板ケースには、制御基板に対する不正防止のための封止手段を備えたものがある。この封止手段は、第１ケース体と第２ケース体とを閉鎖状態で現状復帰不能に封止するもので、一旦制御基板を格納したまま封止してしまうと、損壊部を損壊して開封の痕跡を残さない限り、基板ケースを開いて内部の制御基板を取り出すことはできないようになっている。
【０００４】
この種の基板ケース及びその封止手段としては、例えば特許文献１，２に記載されているものが一般的である。これら各特許文献に記載された遊技機は、何れも、第２ケース体側の保持部材により保持された封止部材を、その第２ケース体側の保持部材に保持された状態のままで第１ケース体側の被結合部に結合させることにより、即ち封止部材により第２ケース体側の保持部材と第１ケース体側の被結合部とを結合することにより基板ケースを封止するように構成されている。
【０００５】
ところが、これら従来の基板ケース及びその封止手段は、封止部材が第２ケース体側の保持部材に保持された状態のままでその封止部材を第１ケース体側の被結合部に結合させるように構成されているため、封止部材と保持部材とを共に第２ケース体側に一体成型することが不可能乃至極めて困難であり、従って例えば封止部材を第２ケース体とは別の部材とする必要があった。これにより従来の遊技機では部品点数が増加し、また組み立て工程が複雑化することによりコスト高になる等の問題があった。
【０００６】
そこで、本出願人は、封止手段を構成する封止部材を基板ケースと一体に形成可能とすることにより部品点数を最小限に抑えることが可能な遊技機に関する発明（以下、先願発明という）について既に特許出願を行っている（特願２００７−１８８４４４）。
【０００７】
この先願発明では、第１ケース体と第２ケース体とを、その結合状態がロックされるロック状態とロックされないアンロック状態との間で相対的にスライド可能とし、第２ケース体側に開封障害部と封止部材とを一体に設け、封止する際には、封止部材を第２ケース体から切り離して第１ケース体側に離脱不能に結合させることにより、その封止部材が第２ケース体側の開封障害部のアンロック状態側へのスライド移動を規制して開封が阻止され、正規に開封する際には、第２ケース体から開封障害部を除去することにより、第２ケース体側のアンロック状態側へのスライド移動が許容されるように構成されている。
【特許文献１】特開２０００−１２６４２０号公報
【特許文献２】特開２００５−１３７４９７号公報
【発明の開示】
【発明が解決しようとする課題】
【０００８】
上記先願発明のように、封止部材により第１ケース体に対する第２ケース体のロック状態からアンロック状態へのスライド移動を規制することにより基板ケースを封止する場合、第１ケース体と第２ケース体とが封止部材により結合されているわけではないため、封止部材により封止されている状態でも、仮に第１ケース体と第２ケース体とを強引に変形させるなどしてロック状態を解除できたとすれば、封止部材に手を加えることなく基板ケースを開封することが可能であると考えられる。
【０００９】
本発明は、上記事情に鑑みてなされたものであり、その目的とするところは、封止部材により第１ケース体に対する第２ケース体のロック状態からアンロック状態へのスライド移動を規制することにより基板ケースを封止するように構成された遊技機において、ロック状態からアンロック状態へのスライド移動を経ることなく、即ち正規の開封方法とは異なる開封方法で開封された場合に、その痕跡が残るように構成することで、そのような不正行為が行われた事実を確実に発見できるようにすることにある。
【課題を解決するための手段】
【００１０】
本発明は、第１，第２ケース体４１，４２を備え且つ各種電子部品４４が装着された基板２３を前記第２ケース体４２の内側に装着した状態でそれら基板２３及び第２ケース体４２に対して前記第１ケース体４１を互いに嵌脱可能なアンロック状態と嵌合状態が保持されるロック状態との間で相対的にスライドさせることにより開閉可能な基板ケース２４と、前記第１，第２ケース体４１，４２を前記ロック状態で封止可能な封止手段４３とを備えた遊技機において、前記基板２３側又は前記第１ケース体４１側に係合部４７ａを、前記第１ケース体４１側又は前記基板２３側に前記係合部４７ａに対応する被係合部８９ａを夫々設け、前記係合部４７ａは損壊容易な低強度部４９を介して前記基板２３側又は前記第１ケース体４１側に支持されており、前記係合部４７ａと前記被係合部８９ａとは、前記第１，第２ケース体４１，４２が前記ロック状態のときに前記第１，第２ケース体４１，４２の嵌脱方向に互いに係合し、前記アンロック状態のときにその係合が解除されるように構成されているものである。
【発明の効果】
【００１１】
本発明によれば、基板ケース２４が、ロック状態からアンロック状態へのスライド移動を経ることなく、即ち正規の開封方法とは異なる開封方法で開封された場合には、係合部４７ａと被係合部８９ａとが互いに係合した状態のままで強引に引き離され、係合部４７ａは低強度部４９で損壊する。従って、例えばその後に第１ケース体４１と第２ケース体４２とを元通りに結合したとしても、係合部４７ａは損壊したままであるため、この係合部４７ａの状態を見れば過去に不正開封があったか否かを判断することができ、不正行為が行われた事実を確実に発見することができる。
【発明を実施するための最良の形態】
【００１２】
以下、本発明の実施形態を図面に基づいて詳述する。図１〜図２３は本発明をパチンコ機に採用した第１の実施形態を例示している。なお、以下の説明における上下左右の方向については、特に基準を示さない限り遊技機本体を前側から見た場合の上下左右をいうものとする。
【００１３】
図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。
【００１４】
前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジ（図示省略）により前枠３に開閉自在に枢支されている。前面開閉板７には、その前側に、発射手段８に供給するための遊技球を貯留する貯留皿９、発射手段８を作動させるための発射ハンドル１０等が設けられている。
【００１５】
遊技盤５の前側には、発射手段８により発射された遊技球を案内するガイドレール１１が環状に装着されると共に、そのガイドレール１１内の遊技領域１２には、画像表示手段１３を備えたセンターケース１４の他、通過ゲート１５、開閉式入賞手段１６、大入賞手段１７、普通入賞手段１８等の各種遊技部品が装着されている。
【００１６】
また、遊技盤５の裏側には、図２に示すように、センターケース１４等の遊技部品を後側から覆う裏カバー２１と集球ケース２２とが上下に配置され、例えば集球ケース２２の背面側に主制御基板２３が格納された主基板ケース２４が、裏カバー２１の背面側に演出制御基板２５が格納された演出基板ケース２６、液晶制御基板２７が格納された液晶基板ケース２８が夫々着脱自在に装着されている。
【００１７】
集球ケース２２は、開閉式入賞手段１６、大入賞手段１７、普通入賞手段１８等に入賞して遊技盤５の裏側に案内された遊技球を集めて排出口２９から回収通路（図示省略）側へと案内するためのもので、図３に示すように上面側と前面側とが開放した略箱形に形成されており、裏カバー２１の下側に近接して配置され、遊技盤５の裏側に着脱自在に固定されている。
【００１８】
集球ケース２２の背面側には、例えばその略中央に主基板ケース２４を着脱自在に装着可能な主基板ケース装着部３１が設けられ、また例えばその主基板ケース装着部３１の一側には、遊技盤５を前枠３側に装着したときに前枠３側のコネクタ（図示省略）に直接結合される遊技盤側コネクタ３２が複数配置されている。
【００１９】
主基板ケース装着部３１に装着される主基板ケース２４は、全体として扁平な略矩形状であって、図３に示すように、互いに係脱自在の第１ケース体４１と第２ケース体４２とを備えると共に、その外周側の一辺、例えば左端側に沿って封止手段４３が設けられ、これら第１ケース体４１、第２ケース体４２、封止手段４３を含む全体が透明な合成樹脂により成形されている。
【００２０】
そして、主基板ケース２４内の空間は、図４〜図６等に示すように、封止手段４３に対応する封止領域２４ｂと、それ以外の基板格納領域２４ａとに区分されており、その基板格納領域２４ａ内に主制御基板２３が格納されている。
【００２１】
主制御基板２３は矩形状であって、その一面側には、中央寄りの部分にＣＰＵ，ＲＯＭ，ＲＡＭ等の電子部品４４が配置され、また外縁部近傍には、コネクタ４５が装着されると共に位置決め孔４６ａ及び固定孔４６ｂが形成されている。各種電子部品４４のうち、例えばＲＯＭ４４ａは、主制御基板２３の電子部品装着面２３ａ側に固定されたソケット４４ｂに対して抜き差し可能に装着されている。ソケット４４ｂは、そのフレーム部分が合成樹脂によりＲＯＭ４４ａに対応する略矩形状に形成されると共に、例えばその外周側に、不正開封検出部４７が一体に設けられている。
【００２２】
この不正開封検出部４７は、図１０，図１２，図１３等に示すように、主制御基板２３に平行に配置される係合部４７ａと、この係合部４７ａとソケット４４ｂとを一体に連結する支持脚部４７ｂとで構成されている。支持脚部４７ｂは、主制御基板２３に設けられた開口部４８を介して主制御基板２３の裏面２３ｂ側に突出しており、その先端側から主制御基板２３の裏面２３ｂに沿って係合部４７ａが延設されている。なお、係合部４７ａと支持脚部４７ｂとは共に板状で、例えば係合部４７ａの方が支持脚部４７ｂよりも薄板状に形成されており、支持脚部４７ｂと係合部４７ａとの連結部分が、損壊容易な低強度部４９を構成している。
【００２３】
第２ケース体４２は、図３〜図７，図９等に示すように、主制御基板２３の電子部品装着面２３ａ側に対向する上壁５１と、その上壁５１の三辺、例えば上下辺及び右辺に沿って主制御基板２３の裏面２３ｂ側に向けて延設された周壁５２〜５４とを一体に備え、主制御基板２３の裏面２３ｂ側に対応する面、及び外周側の残りの一方側、即ち左側の面はその略全面が開放されて開口５５，５６を形成している。
【００２４】
そして、上壁５１の内面側には、例えば左側の開口５６から所定距離内側（右周壁５４側）の位置に仕切り壁５７が右周壁５４と略平行に配置されている。この仕切り壁５７は、主基板ケース２４内の空間を封止領域２４ｂと基板格納領域２４ａとに仕切るもので、周壁５２〜５４と仕切り壁５７とで取り囲まれた領域が基板格納領域２４ａ、仕切り壁５７よりも開口５６側の領域が封止領域２４ｂとなっている。なお、仕切り壁５７の両端部と周壁５２，５３との間には夫々隙間５７ａが形成されている（図１６，図１７）。
【００２５】
上壁５１のうち、基板格納領域２４ａに対応する基板側上壁５１ａには、その内部に配置される主制御基板２３との間に電子部品４４の収容空間を確保できるように外向きに膨出する膨出部６１が形成されると共に、例えば周壁５２，５３，５４に沿って膨出部６１よりも低い段部６２が形成されている。
【００２６】
段部６２には、主制御基板２３側のコネクタ４５が内側から嵌合するコネクタ嵌合孔６３が１又は複数設けられており、またそのコネクタ嵌合孔６３を避けて、主制御基板２３側の位置決め孔４６ａに対応する１又は複数の位置決め突起６４が内向きに、主制御基板２３側の固定孔４６ｂに対応するねじ止め用の固定基部６５が外向きに、夫々突設されている。
【００２７】
主制御基板２３は、電子部品装着面２３ａを上壁５１側に向けた状態で、位置決め孔４６ａに位置決め突起６４を嵌合させるように第２ケース体４２の基板格納領域２４ａ内に嵌め込まれ、固定孔４６ｂを介して固定基部６５にねじ止めすることにより固定される。
【００２８】
また、膨出部６１の背面側には、主制御基板２３側のＲＯＭ４４ａに対応する位置に、ＲＯＭ４４ａ側に凹入する凹部５９が形成されている。この凹部５９は、例えばその底壁５９ａがＲＯＭ４４ａと略同じ大きさの矩形状で、その底壁５９ａとＲＯＭ４４ａとの間の隙間がＲＯＭ４４ａをソケット４４ｂから抜き取り不可能な程度となる深さに形成されている。
【００２９】
上壁５１のうち、封止領域２４ｂに対応する封止側上壁５１ｂは、例えば基板側上壁５１ａとの境界部に沿って基板側上壁５１ａ側の段部６２と同じ高さに配置される低壁６６と、この低壁６６の開口５６側に突出状に設けられ且つ低壁６６よりも一段高い高壁６７とを備え、それら低壁６６と高壁６７との間はそれら低壁６６及び高壁６７に略垂直な起立壁６８により連結されている。高壁６７の外縁部には、外向きに突出する外周枠６９が例えばその全周にわたって一体に設けられている。
【００３０】
また、上下の周壁５２，５３には、封止領域２４ｂ側端部、即ち左端部に高壁６７と略平行に突出する一対の係合突部５８が設けられ、また基板格納領域２４ａに対応する外面側には外向き突出状の係合爪７０が、開口５５側の縁部に沿って間欠的に複数設けられている。
【００３１】
第１ケース体４１は、図３〜図６，図８，図９等に示すように、第２ケース体４２側の開口５５に対応する底壁７１と、第２ケース体４２側の開口５６に対応して底壁７１の一辺、即ち左辺から第２ケース体４２側に立設される側壁７２と、底壁７１の他の三辺、即ち上辺，下辺及び右辺に沿って第２ケース体４２側に立設される嵌合壁７３，７４，７５とを一体に備えており、第２ケース体４２と向かい合わせに嵌め合わせたとき、底壁７１，側壁７２が夫々第２ケース体４２側の開口５５，５６を略閉鎖すると共に、嵌合壁７３〜７５が夫々第２ケース体４２側の周壁５２〜５４の外面側に嵌合するようになっている。
【００３２】
また、底壁７１には、第２ケース体４２側の上下の周壁５２，５３の内面側に沿う一対の案内壁７６，７７が、側壁７２の内面側から嵌合壁７５側に向けて上下の嵌合壁７３，７４の内側に平行に配置されている。これら案内壁７６，７７と嵌合壁７３，７４との間は、第２ケース体４２側の周壁５２，５３が摺動自在に嵌合する案内溝７８，７９となっている。
【００３３】
また、上下の嵌合壁７３，７４には、第２ケース体４２側の係合爪７０が夫々係脱自在に係合可能な被係合部８０が設けられている。この被係合部８０は、第２ケース体４２側の係合爪７０が嵌脱自在に嵌合する複数の切り欠き部８１と、案内溝７８，７９に沿ってこれら切り欠き部８１に対して例えば封止領域２４ｂとは反対側（右側）に隣接して設けられ且つ係合爪７０が夫々係合する係止部８２とで構成されており、係合爪７０を夫々切り欠き部８１に嵌合させるように第２ケース体４２を第１ケース体４１に嵌め合わせ（アンロック状態）、第２ケース体４２を第１ケース体４１に対して封止領域２４ｂとは反対側（右側）に向けて相対的にスライドさせたとき（以下、この方向をスライド方向という）、係合爪７０が係止部８２に夫々係合して、第１ケース体４１と第２ケース体４２とが互いに結合状態でロックされる（ロック状態）ようになっている。
【００３４】
なお、これら第１ケース体４１側の被係合部８０と第２ケース体４２側の係合爪７０とが、それら第１ケース体４１と第２ケース体４２とを閉状態でロックするための主ロック手段８６を構成している。
【００３５】
側壁７２には、案内溝７８，７９に対応して一対の被係合穴８７が形成されており、第１ケース体４１と第２ケース体４２とをアンロック状態に嵌め合わせる前に、第２ケース体４２側の係合突部５８を案内溝７８，７９に沿って被係合穴８７に差し込むことにより、係合突部５８が被係合穴８７に係合して第１，第２ケース体４１，４２の開方向への移動を規制するようになっている。また、係合突部５８と被係合穴８７とは主ロック手段８６がアンロック状態のときだけでなくロック状態となったときにも係合状態が維持されるようになっている。これら第１ケース体４１側の被係合穴８７と第２ケース体４２側の係合突部５８とが、それら第１ケース体４１と第２ケース体４２とを閉状態で補助的にロックするための補助ロック手段８８を構成している。
【００３６】
なお、第１ケース体４１と第２ケース体４２とを互いに嵌め合わせたとき、第１ケース体４１側の案内壁７６，７７は第２ケース体４２側の仕切り壁５７と周壁５２，５３との間の隙間５７ａに嵌合する（図１６，図１７）。
【００３７】
また、底壁７１には、不正開封検出部４７に対応する被係合手段８９が一体に設けられている。この被係合手段８９は、底壁７１の内側、即ち主制御基板２３側に向けて突出状に設けられており、図１０〜図１３等に示すように、主制御基板２３の裏面２３ｂに沿って配置される例えば略矩形板状の被係合部８９ａと、この被係合部８９ａの三辺と底壁７１とを一体に連結する背壁部８９ｂ及び一対の側壁部８９ｃとを備えている。
【００３８】
そして、主制御基板２３側の不正開封検出部４７と第１ケース体４１側の被係合手段８９とは、第１ケース体４１と第２ケース体４２とがアンロック状態からロック状態に移行するに従って係合部４７ａと被係合部８９ａとが互いに接近するように、スライド方向に沿って互いに向かい合わせに配置されており、第１ケース体４１と第２ケース体４２とがロック状態のときに、係合部４７ａと被係合部８９ａとが主制御基板２３の板面に略垂直な方向、即ち第１ケース体４１と第２ケース体４２の嵌脱方向に互いに係合し（図２０）、第１ケース体４１と第２ケース体４２とがアンロック状態のときにその係合が解除される（図１９）ように構成されている。
【００３９】
即ち、本実施形態では、不正開封検出部４７側の係合部４７ａはスライド方向の封止手段４３側とは反対側に向けて、被係合手段８９側の被係合部８９ａはスライド方向の封止手段４３側に向けて、互いに向かい合わせに配置されている。
【００４０】
また、第１ケース体４１の外周部、例えば左右両端側には、主基板ケース装着部３１に固定するための突設部８４，８５が外向きに一体形成されている。
【００４１】
封止手段４３は、主基板ケース２４の封止領域２４ｂに対応して、第２ケース体４２側の開口５６及び第１ケース体４１側の側壁７２に沿って例えば一列状に複数（ここでは４組）配置されている。
【００４２】
各封止手段４３は、図７，図８，図１４〜図１７等に示すように、第１ケース体４１側の被結合部９１と、第２ケース体４２側の封止部材９２及び開封障害部９３とで構成されている。被結合部９１は、第１ケース体４１側の側壁７２の内面側に突設された嵌合支持部９４上に設けられている。嵌合支持部９４は、底壁７１に平行な板状で、底壁７１との間に所定距離をおいて側壁７２から内側、即ち封止領域２４ｂ側に張り出すように一体に形成されており、側壁７２に沿って複数（ここでは４つ）の被結合部９１が設けられている。
【００４３】
各被結合部９１は、例えばスライド方向に平行に設けられた１つの挿通スリット９５と、この挿通スリット９５の両側に平行に配置された一対の逃げ用スリット９６と、それら挿通スリット９５と逃げ用スリット９６との間に形成された一対の弾性係合部９７とを備えている。挿通スリット９５には、封止部材９２側の結合部１１３に対応してその略中央に拡幅部９５ａが形成されている。
【００４４】
また、嵌合支持部９４の第２ケース体４２側の面（以下、表面９４ａとする）には、各被結合部９１に対してその配列方向の両側、即ち逃げ用スリット９６の外側に互いに平行な一対の案内板９８，９８が第２ケース体４２の高壁６７側に向けて立設されている。また、案内板９８，９８の対向面側には、封止部材９２の側壁７２側に沿って規制部９９が突設されている。なお、嵌合支持部９４と底壁７１との間には、被結合部９１を避けた位置に複数の補強リブ１００が設けられている（図１６）。
【００４５】
封止部材９２及び開封障害部９３は、封止領域２４ｂに対応して第２ケース体４２側に形成された封止用開口部１０１内に配置されている。封止用開口部１０１は、第１ケース体４１側の被結合部９１に対応して複数（ここでは４つ）設けられており、夫々高壁６７から起立壁６８、低壁６６にわたる開口状に形成されている。
【００４６】
封止部材９２は、断面矩形状の軸部１１１と、この軸部１１１の一端側に設けられた鍔部１１２と、軸部１１１の他端側に設けられた台形状の結合部１１３と、鍔部１１２から上側に突出する被操作部１１４とを備え、封止用開口部１０１のうち、高壁６７に形成された高壁開口部１０１ａ内に配置され、損壊容易な１又は複数の保持部１１５を介して第２ケース体４２に一体成形されており、主基板ケース２４を封止する際には保持部１１５が損壊されて第２ケース体４２から切り離され、第１ケース体４１側に押し込まれて被結合部９１に離脱不能に結合するようになっている。
【００４７】
鍔部１１２は、例えば略矩形状に形成されており、高壁開口部１０１ａを略塞ぐように高壁開口部１０１ａ内に配置され、スライド方向に対する左右の両縁部１１２ａ，１１２ｂと、それらに対向する高壁開口部１０１ａ側の縁部との間が、損壊容易な１又は複数の保持部１１５により連結されている。
【００４８】
鍔部１１２には、スライド方向に対する左右の両縁部１１２ａ，１１２ｂと、スライド方向のロック状態側（基板格納領域２４ａ側）の縁部１１２ｃとに沿って側壁１１６ａ，１１６ｂと前壁１１６ｃとが被結合部９１側に向けて突設されている。
【００４９】
側壁１１６ａ，１１６ｂは、その外面側が被結合部９１側の案内板９８に、側壁７２側の縁部が被結合部９１側の規制部９９に夫々沿うように形成されており、保持部１１５を切断して封止部材９２を被結合部９１側に押し込んだとき、側壁１１６ａ，１１６ｂが案内板９８と規制部９９に沿って摺動することにより被結合部９１側に案内されるようになっている。なお規制部９９は、鍔部１１２が保持部１１５により連結されている状態ではその端部が側壁１１６ａ，１１６ｂに到達しない長さに設けられており（図２０等）、第１ケース体４１に対して第２ケース体４２をスライドさせる際に側壁１１６ａ，１１６ｂが規制部９９に干渉しないようになっている。
【００５０】
軸部１１１は、鍔部１１２の中心部から被結合部９１側に向けて突設され、例えばスライド方向に対する左右方向に偏平な断面矩形状に形成されており、その幅は被結合部９１側の拡幅部９５ａの内幅と略同じか若干小さく形成されている。
【００５１】
結合部１１３は、鍔部１１２が保持部１１５により連結されている状態ではその先端側が被結合部９１に到達せず（図２０等）、保持部１１５が切断されて封止部材９２が被結合部９１側に押し込まれ、鍔部１１２側が嵌合支持部９４の表面９４ａに当接したとき、被結合部９１の挿通スリット９５を貫通してその裏側に離脱不能に係合するようになっている（図２１等）。
【００５２】
被操作部１１４は、封止部材９２を被結合部９１側に向けて押圧する際の操作を容易にするためのもので、鍔部１１２の中心部から外向きに突出して設けられ、その中央に凹部１１４ａが形成されている。封止部材９２を被結合部９１側に向けて押圧する際には、この凹部１１４ａにドライバー等の先端部を押し当てることにより容易に操作可能である。
【００５３】
開封障害部９３は、封止用開口部１０１のうち、起立壁６８に形成された起立壁開口部１０１ｂから低壁６６に形成された低壁開口部１０１ｃにかけてその内側に配置され、損壊容易な第１，第２損壊部１２１，１２２を介して第２ケース体４２に一体成形されており、封止部材９２が第１ケース体４１側に結合したとき、その封止部材９２のスライド方向ロック側に当接又は略当接するようになっている。
【００５４】
開封障害部９３は、図１５，図１７等に示すように、例えば封止部材９２に対するスライド方向ロック側に立設された支持板１２３と、この支持板１２３から封止部材９２側に突設された当接部１２４とを備えている。支持板１２３は、起立壁開口部１０１ｂを略塞ぐように起立壁６８と同一平面上に配置され、内側端部が嵌合支持部９４の表面９４ａに当接又は近接しており、その内側端部近傍に当接部１２４が設けられている。当接部１２４は、封止部材９２が保持部１１５により第２ケース体４２側に連結されている状態では封止部材９２から離間しており（図２０）、封止部材９２が第２ケース体４２から切り離されて第１ケース体４１側に結合したとき（図２１）、その封止部材９２の前壁１１６ｃの外面側に当接又は近接するようになっている。
【００５５】
第１損壊部１２１は、図１７等に示すように、支持板１２３の外側端部におけるスライド方向左右両側と封止用開口部１０１の縁部又はその近傍、例えば高壁６７側の外周枠６９との間を夫々連結するように設けられ、主基板ケース２４の外側からニッパー等により容易に損壊可能となっている。
【００５６】
また、第２損壊部１２２は、図１４，図１５等に示すように、支持板１２３の内側端部と、低壁開口部１０１ｃの縁部又はその近傍、例えば低壁６６及び仕切り壁５７との間を、低壁開口部１０１ｃ内をスライド方向に横切って連結するように設けられ、例えばその外側縁部が低壁６６と略面一で、内側縁部が嵌合支持部９４の表面９４ａに当接又は近接する内外方向幅広状に形成されており、主基板ケース２４の外側からニッパー等により損壊可能となっている。
【００５７】
なお、この第２損壊部１２２は、低壁６６とその両側に立設された起立壁６８及び膨出部６１の側壁６１ａとで構成される内向きの凹入部１２５内に配置されており、しかも内外方向幅広状に形成されているため、第１損壊部１２１に比べると損壊操作が若干困難となっている。
【００５８】
以上のように、封止手段４３を構成する被結合部９１、封止部材９２、開封障害部９３は全て主基板ケース２４の第１ケース体４１又は第２ケース体４２に一体成形されており、別部品は存在しない。即ち、主基板ケース２４の構成部品は第１ケース体４１と第２ケース体４２の二つだけであるため、例えば封止部材９２が別部品となっていた従来の基板ケースに比べて部品点数及び組み立て工数を少なくすることができ、コスト削減が可能である。
【００５９】
主制御基板２３が装着された第２ケース体４２を第１ケース体４１に装着して封止する際には、まず第２ケース体４２側の一対の係合突部５８を第１ケース体４１側の案内溝７８，７９に沿って被係合穴８７に内側から差し込んだ後、第２ケース体４２側の係合爪７０を第１ケース体４１側の切り欠き部８１に嵌合させてアンロック状態に嵌め合わせる  （図１８→図１９）。このとき、主制御基板２３側の係合部４７ａと第１ケース体４１側の被係合部８９ａとはスライド方向に離間して非係合状態となっている。また、第２ケース体４２側の右周壁５４と第１ケース体４１側の右嵌合壁７５とは離間しており、第２ケース体４２側の封止部材９２は、第１ケース体４１側の側壁７２の内面側に当接又は近接した状態となる。
【００６０】
そして、第２ケース体４２と第１ケース体４１とを、それらの右周壁５４と右嵌合壁７５とを近づける方向に相対的にスライドさせる（図１９→図２０）。これにより、第２ケース体４２側の係合爪７０が第１ケース体４１側の係止部８２に係合し、第１ケース体４１と第２ケース体４２とが結合状態でロックされると共に、主制御基板２３側の係合部４７ａと第１ケース体４１側の被係合部８９ａとが互いに接近して主制御基板２３の板面に略垂直な方向に係合する。また、第２ケース体４２側の封止部材９２は、第１ケース体４１側の側壁７２から離間して、第１ケース体４１側の被結合部９１と内外方向に合致した状態となる。
【００６１】
また、このように主ロック手段８６がロック状態となっても、補助ロック手段８８については、係合突部５８が被係合穴８７に係合した状態が維持されている。
【００６２】
続いて、複数（４組）の封止手段４３のうちの１つを用いて主基板ケース２４を封止する。即ち、まずニッパー等の切断工具を用いて、封止に用いる封止部材９２に連結されている全ての保持部１１５を切断してその封止部材９２を第２ケース体４２から切り離し、ドライバー等の工具の先端をその封止部材９２の被操作部１１４の凹部１１４ａに当てて、内側、即ち第１ケース体４１側に押圧する。
【００６３】
これにより、封止部材９２はその先端側の結合部１１３が弾性係合部９７を両側に押し広げながら挿通スリット９５内に嵌合する。このとき、封止部材９２は、その周囲に設けられた案内板９８，９８、規制部９９及び当接部１２４に沿って摺動することにより押圧方向に真っ直ぐに案内される。そして、封止部材９２の鍔部１１２が嵌合支持部９４の表面９４ａに当接したとき、結合部１１３が挿通スリット９５を貫通して弾性係合部９７の裏側に係合し、その封止部材９２は第２ケース体４２から完全に独立した状態で第１ケース体４１側に離脱不能に結合した状態となる（図２１）。
【００６４】
このとき、その封止部材９２に対応する開封障害部９３の当接部１２４が、その封止部材９２のスライド方向ロック側の面、即ち前壁１１６ｃの外面側に当接又は近接した状態となる。従って、その状態で、第２ケース体４２と第１ケース体４１とを開方向、即ちそれらの右周壁５４と右嵌合壁７５とを離間させる方向に相対的にスライドさせようとしても、第１ケース体４１側に結合している封止部材９２と第２ケース体４２側の開封障害部９３とが干渉するため、そのままでは主基板ケース２４を開封することはできない。
【００６５】
検査等のために主基板ケース２４を開封する場合には、封止状態となっている封止手段４３の第１，第２損壊部１２１，１２２をニッパー等の切断工具を用いて切断し、図２２（ａ）に示すように、開封障害部９３を第２ケース体４２から切り離して除去する。これにより、起立壁開口部１０１ｂ及び低壁開口部１０１ｃが開放され、第１ケース体４１側に結合している封止部材９２の移動を規制するものがなくなるため（図２２（ｂ））、第１ケース体４１と第２ケース体４２とをアンロック状態まで相対的にスライドさせることができる。このアンロック状態では、第２ケース体４２側の係合爪７０と第１ケース体４１側の係止部８２との係合状態が解除され、また主制御基板２３側の係合部４７ａと第１ケース体４１側の被係合部８９ａとの係合状態も解除されるため（図１９に示す状態）、第１ケース体４１と第２ケース体４２とを分離して主基板ケース２４を開放することができる。
【００６６】
また、封止手段４３による封止を正規に解除することなく、例えば第１ケース体４１と第２ケース体４２とを変形させる等により係合爪７０と係止部８２との係合を強引に解除して主基板ケース２４を開封した場合には、主制御基板２３側の係合部４７ａと第１ケース体４１側の被係合部８９ａとが互いに係合した状態のままで、第１ケース体４１に対して第２ケース体４２及び主制御基板２３が引き離されるため、図２３に示すように、係合部４７ａは被係合部８９ａに引っ掛かって低強度部４９で損壊する。従って、例えばその後に第１ケース体４１と第２ケース体４２とを元通りに結合したとしても、係合部４７ａは損壊したままであるため、この係合部４７ａの状態を見れば過去に不正開封があったか否かを判断することができる。
【００６７】
主基板ケース装着部３１は、図３〜図６に示すように、集球ケース２２の背面側に設けられた装着開口部１３１と、その装着開口部１３１の上下両縁側に沿って配置される装着レール１３２と、主基板ケース２４の一端側を支持する第１支持手段１３３と、主基板ケース２４の他端側を支持する第２支持手段１３４と、主基板ケース２４の外側から第１，第２損壊部１２１，１２２の少なくとも一部を覆う封止カバー１３５とを備えている。
【００６８】
装着開口部１３１は、主基板ケース２４に対応する略矩形状に形成され、その上下両縁側に沿って装着レール１３２が内向き突出状に延設されている。
【００６９】
第１支持手段１３３は、主基板ケース２４の一端側、例えば左端側を支持するもので、主基板ケース２４側の突設部８４が係合可能な凹部により構成されており、突設部８４に対応して装着開口部１３１の左端側に設けられている。
【００７０】
第２支持手段１３４は、主基板ケース２４の他端側、例えば右端側を解除可能に支持するもので、主基板ケース２４側の突設部８５に係合する係合位置と係合しない解除位置とに切り換え可能な締結つまみにより構成されており、突設部８５に対応して装着開口部１３１の右端側に設けられている。
【００７１】
主基板ケース２４を主基板ケース装着部３１に装着する際には、主基板ケース２４の前面側（第１ケース体４１の外面側）を装着レール１３２に沿わせつつ、まず左端側の突設部８４を第１支持手段１３３に嵌合させ、続いて第２支持手段１３４を解除位置から係合位置に切り換えて突設部８５を係止すればよい。
【００７２】
封止カバー１３５は、主基板ケース装着部３１に装着された主基板ケース２４の封止領域２４ｂ側端部を覆うように主基板ケース装着部３１の後側に一体に設けられており、主基板ケース２４の封止側上壁５１ｂに沿って主基板ケース装着部３１と略平行に配置されるカバー板部１４１と、主基板ケース２４側の上下の周壁５２，５３及び左端側の側壁７２に沿ってカバー板部１４１の縁部と主基板ケース装着部３１とを連結する連結板部１４２とで主基板ケース２４の着脱側、即ち右側が開放する箱形に形成されている。
【００７３】
カバー板部１４１は、第１，第２損壊部１２１，１２２を含む封止手段４３の略全体を覆う大きさの矩形板状に形成されている。なお、封止手段４３による封止／開封状態が外側から視認可能なように、封止カバー１３５は少なくともカバー板部１４１を透明とすることが望ましい。
【００７４】
このように、主基板ケース２４を主基板ケース装着部３１に装着した状態では第１，第２損壊部１２１，１２２が封止カバー１３５で覆われるため、そのままでは主基板ケース２４を開封することはできない。第１，第２損壊部１２１，１２２を損壊して主基板ケース２４を開封するためには、まず第２支持手段１３４を解除して主基板ケース２４を主基板ケース装着部３１から取り外す必要があるため、その分だけ時間を要し、ＲＯＭの交換等によるゴト行為を効果的に防止できる。
【００７５】
以上説明したように、本実施形態のパチンコ機は、主制御基板２３側に係合部４７ａを、第１ケース体４１側に係合部４７ａに対応する被係合部８９ａを夫々設け、係合部４７ａは損壊容易な低強度部４９を介して主制御基板２３側に支持されており、係合部４７ａと被係合部８９ａとは、第１，第２ケース体４１，４２がロック状態のときに第１，第２ケース体４１，４２の嵌脱方向に互いに係合し、アンロック状態のときにその係合が解除されるように構成されているため、ロック状態からアンロック状態へのスライド移動を経ることなく、即ち正規の開封方法とは異なる開封方法で開封された場合には、係合部４７ａと被係合部８９ａとが互いに係合した状態のままで強引に引き離され、係合部４７ａは低強度部４９で損壊する。従って、例えばその後に第１ケース体４１と第２ケース体４２とを元通りに結合したとしても、係合部４７ａは損壊したままであるため、この係合部４７ａの状態を見れば過去に不正開封があったか否かを判断することができ、不正行為が行われた事実を確実に発見することができる。
【００７６】
また、第１，第２ケース体４１，４２は、アンロック状態とロック状態との間で主制御基板２３の板面に沿う方向に相対的にスライド可能であると共に、アンロック状態で主制御基板２３の板面に略垂直な方向に嵌脱可能であり、係合部４７ａと被係合部８９ａとは、第１，第２ケース体４１，４２がロック状態のときに主制御基板２３の板面に略垂直な方向に係合するように構成されているため、係合部４７ａと被係合部８９ａとを主制御基板２３の板面に沿って係脱自在にとすることができ、係合部４７ａをＬ字型等の簡単な形状に構成できる。
【００７７】
係合部４７ａは、主制御基板２３に装着されたＲＯＭ４４ａ用のソケット４４ｂに低強度部４９を介して一体形成されているため、係合部４７ａを別部品として新たに主制御基板２３に装着する場合と比べてコストを削減できる。
【００７８】
図２４及び図２５は本発明の第２の実施形態を例示し、第１ケース体４１側に係合部４７ａを備えた不正開封検出部４７を、主制御基板２３側にその係合部４７ａに対応する被係合部８９ａを夫々配置した例を示している。
【００７９】
図２４に示すように、不正開封検出部４７は、主制御基板２３に平行に配置される係合部４７ａと、この係合部４７ａと第１ケース体４１側の底壁７１とを一体に連結する支持脚部４７ｂとで構成されている。支持脚部４７ｂは、主制御基板２３に設けられた開口状（又は切欠状）の挿通部１５１を介して主制御基板２３の電子部品装着面２３ａ側に突出しており、その先端側から電子部品装着面２３ａに沿って係合部４７ａが延設されている。なお、係合部４７ａと支持脚部４７ｂとは共に板状で、例えば係合部４７ａの方が支持脚部４７ｂよりも薄板状に形成されており、支持脚部４７ｂと係合部４７ａとの連結部分が、損壊容易な低強度部４９を構成している。
【００８０】
また、主制御基板２３側に設けられた開口部４８の縁部が被係合部８９ａとなっており、第１ケース体４１と第２ケース体４２とがロック状態のときに（図２４に実線で示す）、係合部４７ａと被係合部８９ａとが主制御基板２３の板面に略垂直な方向、即ち第１ケース体４１と第２ケース体４２の嵌脱方向に互いに係合し、第１ケース体４１と第２ケース体４２とがアンロック状態のときに（図２４に二点鎖線で示す）、その係合が解除されるように構成されている。
【００８１】
このように、係合部４７ａを第１ケース体４１側に、被係合部８９ａを主制御基板２３側に設けた場合でも、封止手段４３による封止を正規に解除することなく、例えば第１ケース体４１と第２ケース体４２とを変形させる等により係合爪７０と係止部８２との係合を強引に解除して主基板ケース２４を開封した場合には、第１の実施形態の場合と同様、係合部４７ａは被係合部８９ａに引っ掛かって低強度部４９で損壊する（図２５）。従って、例えばその後に第１ケース体４１と第２ケース体４２とを元通りに結合したとしても、係合部４７ａは損壊したままであるため、この係合部４７ａの状態を見れば過去に不正開封があったか否かを判断することができる。
【００８２】
図２６〜図２８は本発明の第３の実施形態を例示し、係合部４７ａを備えた不正開封検出部４７を主制御基板２３に一体に設け、第１ケース体４１側にその係合部４７ａに対応する被係合部８９ａを備えた被係合手段８９を設けた例を示している。
【００８３】
図２６及び図２７に示すように、主制御基板２３には、開口状（又は切欠状）の挿通部１５１が形成されており、その挿通部１５１の縁部から挿通部１５１内に向けて不正開封検出部４７の係合部４７ａが突出状に一体形成されている。係合部４７ａと挿通部１５１の縁部との連結部分は、その幅が係合部４７ａよりも細く絞られた低強度部４９となっている。
【００８４】
また、係合部４７ａ上には、主制御基板２３上に実装されている遊技制御回路を構成する一部の配線１５２が低強度部４９を介して引き込まれている。この配線１５２は、例えば遊技制御回路上のエラー処理部に接続されており、これが切断された場合にはエラー処理部によって所定のエラー処理、例えばエラー警告音の出力等が行われるようになっている。
【００８５】
また、不正開封検出部４７に対応する被係合手段８９は、主制御基板２３側の挿通部１５１を介して電子部品装着面２３ａ側に突出するように、第１ケース体４１の底壁７１の内側に突設されており、主制御基板２３の電子部品装着面２３ａに沿って配置される例えば略矩形板状の被係合部８９ａと、この被係合部８９ａの三辺と底壁７１とを一体に連結する背壁部８９ｂ及び一対の側壁部８９ｃとを備えている。
【００８６】
そして、主制御基板２３側の不正開封検出部４７と第１ケース体４１側の被係合手段８９とは、第１ケース体４１と第２ケース体４２とがアンロック状態からロック状態に移行するに従って係合部４７ａと被係合部８９ａとが互いに接近するように、スライド方向に沿って互いに向かい合わせに配置されており、第１ケース体４１と第２ケース体４２とがロック状態のときに（図２７に実線で示す）、係合部４７ａと被係合部８９ａとが主制御基板２３の板面に略垂直な方向、即ち第１ケース体４１と第２ケース体４２の嵌脱方向に互いに係合し、第１ケース体４１と第２ケース体４２とがアンロック状態のときに（図２７に二点鎖線で示す）、その係合が解除されるように構成されている。
【００８７】
封止手段４３による封止を正規に解除することなく、例えば第１ケース体４１と第２ケース体４２とを変形させる等により係合爪７０と係止部８２との係合を強引に解除して主基板ケース２４を開封した場合には、係合部４７ａは被係合部８９ａに引っ掛かって低強度部４９で損壊し（図２８）、係合部４７ａ上に配置されている配線１５２はこの低強度部４９で切断される。従って、例えばその後に第１ケース体４１と第２ケース体４２とを元通りに結合したとしても、エラー処理部によってエラー警告音の出力等の所定のエラー処理が実行されるため、不正開封があったことを確実に発見することができる。
【００８８】
以上、本発明の実施形態について詳述したが、本発明はこれらの実施形態に限定されるものではなく、本発明の趣旨を逸脱しない範囲で種々の変更が可能である。例えば、第１の実施形態のように係合部４７ａを基板２３上の装着部品に一体に設ける場合、その装着部品はＲＯＭ４４ａ用のソケット４４ｂ以外の例えばコネクタ等でもよい。また、係合部４７ａを電子部品とは別の専用部品として基板２３上に装着してもよい。
【００８９】
第３の実施形態のように基板２３の一部分を係合部４７ａとする場合、係合部４７ａが損壊されたときに配線１５２が切断されるように構成しない場合でも、損壊した係合部４７ａの状態を見れば過去に不正開封があったか否かを判断することができる。
【００９０】
また、第３の実施形態のように、低強度部４９の損壊により配線１５２が切断されることを条件に実行されるエラー処理は、警告音の出力の他、液晶画面やランプによる警告表示等、どのようなものでもよい。また、低強度部４９の損壊により配線１５２が切断されることにより、例えば主要部への電源供給が絶たれる等により遊技機が正常に動作しないように構成してもよい。
【００９１】
本発明を適用可能な基板ケースは、実施形態で示した構成に限定されるものではなく、
基板２３を第２ケース体４２の内側に装着した状態でそれら基板２３及び第２ケース体４２に対して第１ケース体４１をアンロック状態とロック状態との間で相対的にスライドさせることにより開閉可能であって、第１，第２ケース体４１，４２をロック状態で封止可能なものであればよい。
【００９２】
また、実施形態では本発明をパチンコ機に適用した例を示したが、アレンジボール機、スロットマシン等の各種遊技機において同様に実施可能であることは言うまでもない。
【図面の簡単な説明】
【００９３】
【図１】本発明の第１の実施形態を示すパチンコ機の全体正面図である。
【図２】遊技盤の背面図である。
【図３】集球ケース及び主基板ケースの分解斜視図である。
【図４】集球ケース及び主基板ケースの一部破断背面図である。
【図５】集球ケース及び主基板ケースの平面断面図である。
【図６】集球ケース及び主基板ケースの側面断面図である。
【図７】第２ケース体の背面図である。
【図８】第１ケース体の背面図である。
【図９】主基板ケースの分解平面図である。
【図１０】不正開封検出部及び被係合手段を示す一部破断斜視図である。
【図１１】被係合手段を示す斜視図である。
【図１２】主基板ケースの要部平面断面図である。
【図１３】主基板ケースの要部側面断面図である。
【図１４】第２ケース体及び第１ケース体の要部拡大背面図である。
【図１５】第２ケース体及び第１ケース体の要部拡大斜視図である。
【図１６】主基板ケースの封止部材の中心位置における側面断面図である。
【図１７】主基板ケースの封止部材と開封障害部との間における側面断面図である。
【図１８】主基板ケースの結合・封止手順を示す第１ステップの説明図である。
【図１９】主基板ケースの結合・封止手順を示す第２ステップの説明図である。
【図２０】主基板ケースの結合・封止手順を示す第３ステップの説明図である。
【図２１】主基板ケースの結合・封止手順を示す第４ステップの説明図である。
【図２２】主基板ケースの開封手順を示す説明図である。
【図２３】主基板ケースが不正開封された場合の係合部及び被係合部の状態を示す説明図である。
【図２４】本発明の第２の実施形態を示すパチンコ機の不正開封検出部及び被係合手段を示す平面断面図である。
【図２５】第２の実施形態において主基板ケースが不正開封された場合の係合部及び被係合部の状態を示す説明図である。
【図２６】本発明の第３の実施形態を示すパチンコ機の不正開封検出部及び被係合手段を示す一部破断斜視図である。
【図２７】本発明の第３の実施形態を示すパチンコ機の不正開封検出部及び被係合手段を示す平面断面図である。
【図２８】第３の実施形態において主基板ケースが不正開封された場合の係合部及び被係合部の状態を示す説明図である。
【符号の説明】
【００９４】
２３    主制御基板（基板）
２４    主基板ケース（基板ケース）
４１    第１ケース体
４２    第２ケース体
４３    封止手段
４４    電子部品
４４ｂ  ソケット（装着部品）
４７ａ  係合部
４７ｂ  支持脚部
４９    低強度部
８９ａ  被係合部
１５２    配線
【図１】
0004719764.tif 000002
【図２】
0004719764.tif 000003
【図３】
0004719764.tif 000004
【図４】
0004719764.tif 000005
【図５】
0004719764.tif 000006
【図６】
0004719764.tif 000007
【図７】
0004719764.tif 000008
【図８】
0004719764.tif 000009
【図９】
0004719764.tif 000010
【図１０】
0004719764.tif 000011
【図１１】
0004719764.tif 000012
【図１２】
0004719764.tif 000013
【図１３】
0004719764.tif 000014
【図１４】
0004719764.tif 000015
【図１５】
0004719764.tif 000016
【図１６】
0004719764.tif 000017
【図１７】
0004719764.tif 000018
【図１８】
0004719764.tif 000019
【図１９】
0004719764.tif 000020
【図２０】
0004719764.tif 000021
【図２１】
0004719764.tif 000022
【図２２】
0004719764.tif 000023
【図２３】
0004719764.tif 000024
【図２４】
0004719764.tif 000025
【図２５】
0004719764.tif 000026
【図２６】
0004719764.tif 000027
【図２７】
0004719764.tif 000028
【図２８】
0004719764.tif 000029